(57)【要約】【課題】簡便な装置でありながら、使用者の手を煩わすことなくトイレ室の照明を必要な場合にだけ点灯でき、誤作動も生じにくいトイレ室自動照明装置の提供。【解決手段】トイレ室の扉の外側に配置させた把手による扉の開閉に連動させてトイレ室内の照明を点灯又は消灯させるトイレ室用自動照明装置であって、扉が開いたことを上記把手の動きを介して感知する第１の感知手段と、該感知した情報をトイレ室内の照明を点灯させる点灯信号に変換するための点灯信号変換手段と、扉が閉じたことを上記把手の動きを介して感知する第２の感知手段と、該感知した情報をトイレ室内の照明を消灯させる消灯信号に変換するための消灯信号変換手段と、これらの変換手段より出力された信号を認識し、認識した信号に応じてトイレ室内の照明を点灯又は消灯に切り替えるための切替手段とを少なくとも有していることを特徴とするトイレ室用自動照明装置。【選択図】図２
2009272075.tif 000002
【特許請求の範囲】
【請求項１】
トイレ室の扉の外側に配置させた把手による扉の開閉に連動させてトイレ室内の照明を点灯又は消灯させるトイレ室用自動照明装置であって、扉が開いたことを上記把手の動きを介して感知する第１の感知手段と、該感知した情報をトイレ室内の照明を点灯させる点灯信号に変換するための点灯信号変換手段と、扉が閉じたことを上記把手の動きを介して感知する第２の感知手段と、該感知した情報をトイレ室内の照明を消灯させる消灯信号に変換するための消灯信号変換手段と、これらの変換手段より出力された信号を認識し、認識した信号に応じてトイレ室内の照明を点灯又は消灯に切り替えるための切替手段とを少なくとも有していることを特徴とするトイレ室用自動照明装置。
【請求項２】
前記把手は、扉内に位置している連結部材が、扉を開閉する方向に１〜５ｍｍの範囲内で可動する構造を有し、かつ、前記第１及び第２の感知手段は、通電状態を切り換える押圧スイッチを有してなり、該押圧スイッチを上記連結部材が可動して押すことで、扉の開閉を感知するように構成されている請求項１に記載のトイレ室用自動照明装置。
【請求項３】
さらに、第１の感知手段で感知した情報を、トイレ室内に設置された換気扇、空気清浄機器及び冷暖房機器からなる群から選ばれる少なくとも１つの機器を作動させる作動信号に変換するための作動信号変換手段と、第２の感知手段が感知した情報を、作動した状態にある上記機器を停止させる停止信号に変換するための停止信号変換手段と、これらの変換手段により出力された信号が作動又は停止信号のいずれであるかを認識して、認識した信号に応じてトイレ室内に設置された上記機器を作動又は停止に切り替えるための機器用切替手段とを有した請求項１又は２に記載のトイレ室用自動照明装置。
【発明の詳細な説明】
【技術分野】
【０００１】
本発明は、トイレ室用自動照明装置に関する。
【背景技術】
【０００２】
トイレ室内における、照明の点灯又は消灯の切り替えは、一般的に、トイレ室外の壁面に設置されているスイッチを使用者が手動で操作することにより行われている。しかしながら、使用者にとって、スイッチを手動で操作することは煩わしく、特に、トイレ室の使用後に照明用のスイッチを切り忘れることも多い。スイッチを切り忘れるとトイレ室内の照明がついたままの状態となって電力が無駄に消費されることになり、省エネの点でも問題がある。また、高齢化社会においては、トイレ室の使用の際に介護者を必要とする場合も多く、さらに、もの忘れの問題も深刻であり、使用者の手を煩わすことなくトイレ室の照明を必要な場合にだけ点灯できる装置があれば、非常に有用である。この問題に対しては、従来より種々の検討がなされており、トイレ室の照明を自動的に点灯又は消灯するための様々な工夫が提案されており、その一部は実用化されている。
【０００３】
例えば、特許文献１では、トイレ室の扉付近に使用者が入退室したことを検知する人体横切り検知器を配置することにより、この検知器からの信号でトイレ室内への使用者の入退室を判断し、この判断結果に基づきトイレ室の照明を自動的に点灯又は消灯させるトイレ用自動スイッチを設ける方法が提案されている。
【０００４】
また、特許文献２では、トイレ室の使用者の入室および退室を事前に検知する光センサをトイレ室内外に設けてあり、これらの光センサによる使用者の入退室に応じた検知信号に基づいて、トイレ室の照明を自動的に点灯又は消灯させるトイレ自動システムが提案されている。
【０００５】
さらに、特許文献３には、赤外線エネルギにより人体の存在を検出する赤外線センサ部の出力により照明を点灯させ、手動スイッチ入力判断部の出力により照明の消灯を行う人体検出機能付配線器具を設ける方法が提案されている。また、トイレ室内の人の入退室を検知するために圧力センサを利用した装置もある（特許文献４参照）。
【０００６】
【特許文献１】特開昭６４−６６３２５号公報
【特許文献２】特開平８−２２８９６５号公報
【特許文献３】特開２００１−２３７０８５号公報
【特許文献４】特開平５−２９０９７９号公報
【発明の開示】
【発明が解決しようとする課題】
【０００７】
しかしながら、上記したこれらの方法は、いずれも装置が大掛かりであり、特に一般家庭における利用という点では改良の余地がある。また、赤外線などの光センサを用いて人間の動きを検知することにより作動する方法においては、使用者の個体差や動きの違いにより、使用者の動きを正確に検知できないという問題もある。さらに、不必要なとき、例えば、トイレ室の扉付近を使用者以外のものが通りかかった際にも光センサが反応してしまうことがあり、誤作動が生じやすいという問題もある。また、別の問題として、従来のトイレ室の扉の多くは、扉に取り付けられた把手を回してから、トイレ室へ入退室する必要があった。しかしながら、高齢化社会においては把手を回すことなく扉の開閉が容易に行うことができる便利な方法が望まれている。
【０００８】
したがって、本発明の目的は、簡便な装置によって、使用者の手を煩わすことなくトイレ室の照明を必要な場合にだけ点灯できるトイレ室用自動照明装置を提供することにある。
【課題を解決するための手段】
【０００９】
上記に挙げた課題は、以下の本発明により解決される。即ち、本発明は、トイレ室の扉の外側に配置させた把手による扉の開閉に連動させてトイレ室内の照明を点灯又は消灯させるトイレ室用自動照明装置であって、扉が開いたことを上記把手の動きを介して感知する第１の感知手段と、該感知した情報をトイレ室内の照明を点灯させる点灯信号に変換するための点灯信号変換手段と、扉が閉じたことを上記把手の動きを介して感知する第２の感知手段と、該感知した情報をトイレ室内の照明を消灯させる消灯信号に変換するための消灯信号変換手段と、これらの変換手段より出力された信号を認識し、認識した信号に応じてトイレ室内の照明を点灯又は消灯に切り替えるための切替手段とを少なくとも有していることを特徴とするトイレ室用自動照明装置である。
【００１０】
また、本発明のトイレ室用自動照明装置は、前記把手は、扉内に位置している連結部材が、扉を開閉する方向に１〜５ｍｍの範囲内で可動する構造を有し、かつ、前記第１及び第２の感知手段は、通電状態を切り換える押圧スイッチを有してなり、該押圧スイッチを上記連結部材が可動して押すことで、扉の開閉を感知するように構成されていることが好ましい。
【００１１】
また、本発明のトイレ室用自動照明装置は、さらに、第１の感知手段で感知した情報を、トイレ室内に設置された換気扇、空気清浄機器及び冷暖房機器からなる群から選ばれる少なくとも１つの機器を作動させる作動信号に変換するための作動信号変換手段と、第２の感知手段が感知した情報を、作動した状態にある上記機器を停止させる停止信号に変換するための停止信号変換手段と、これらの変換手段により出力された信号が作動又は停止信号のいずれであるかを認識して、認識した信号に応じてトイレ室内に設置された上記機器を作動又は停止に切り替えるための機器用切替手段とを有していることが好ましい。
【発明の効果】
【００１２】
本発明によれば、簡便な装置でありながら、使用者の手を煩わすことなくトイレ室の照明を必要な場合にだけ点灯でき、誤作動も生じにくいトイレ室自動照明装置が提供される。また、本発明のトイレ室自動照明装置を採用することにより、トイレ室の扉を、従来のように把手を回して開閉させる方式から、より簡単な方式である、把手の押し引きにより開閉させる方式に変更することが可能となる。
【発明を実施するための最良の形態】
【００１３】
以下に、本発明のトイレ室用自動照明装置（以下、単に「自動照明装置」という場合がある。）について説明する。本発明の自動照明装置は、トイレ室の扉の外側に配置させた把手による扉の開閉に連動してトイレ室内の照明が点灯又は消灯するようにしたものである。その構成は、扉が開いたことを上記把手の動きを介して感知するための第１の感知手段と、該感知した情報をトイレ室内の照明を点灯させる点灯信号に変換するための点灯信号変換手段と、扉が閉じたことを上記把手の動きを介して感知するための第２の感知手段と、該感知した情報をトイレ室内の照明を消灯させる消灯信号に変換するための消灯信号変換手段と、これらの変換手段より出力された信号を認識し、認識した信号に応じてトイレ室内の照明を点灯又は消灯に切り替えるための切替手段とからなる。
【００１４】
すなわち、本発明の自動照明装置は、トイレ室の扉の外側（入室側）に配置させた把手で扉を開閉した場合に、把手の動きを介して扉が開閉されたことを感知し、感知した情報をトイレ室内の照明を点灯或いは消灯させる点灯信号或いは消灯信号に変換し、これらの信号に応じてトイレ室内の照明を点灯又は消灯に切り替えることで、トイレ室内の照明を必要な場合にだけ点灯するように構成されている。上記の構成は、極めて簡単であるため、本発明の自動照明装置は、トイレ室の形態に合わせて、様々な形態や設置方法を採ることができ、また、通常のトイレ室を多少改良するだけで簡単に設置することができる。以下、代表的な形態のトイレ室に、好ましい形態の自動照明装置を設置した場合を例にして本発明の構成を詳細に説明する。
【００１５】
図１は、本発明の自動照明装置の一実施形態を設置したトイレ室の概要を示す斜視図である。図２は、図１におけるトイレ室の扉の概略横断面図である。先ず、本実施形態の自動照明装置を設置したトイレ室１０には、図１に示すように、その天井に、照明１２が配置され、その出入り口に、一端側が蝶番（不図示）により枢軸されている回動式の扉１１が配置されている。また、この回動式の扉１１の、枢軸されている側の反対側の端部には、扉１１を開閉するための把手（トイレ室１０外側の把手２０、トイレ室内側の把手２１）がそれぞれ独立して設けられている（図１及び２参照）。本発明の自動照明装置においては、トイレ室外側の把手２０の動きを介して扉１１の開閉が感知されるように構成されていれば足る。一方、トイレ室内側の把手２１については、扉１１を開閉する機能を有すればよく、必要により、トイレ室内側の把手２１又はその周辺に、扉１１を閉めた状態で固定して施錠するための施錠具（不図示）を設けることができる。また、例示したトイレ室１０の扉１１では、図２に示したように、バネ２２Ａによって扉１１の側端面から出し入れされる構造を有する凸形状の掛け金２２が配置されており、扉１１を閉じた状態で固定できるようになっている。また、この形状の掛け金２２を配置していることにより、扉１１の把手２０を従来のように把手を回すことなく、単純に引く操作をするだけで、扉を開けることが可能となっている。なお、本発明の自動照明装置を設けたトイレ室１０に最適な掛け金２２の構造については後述する。しかし、本発明の自動照明装置を設置した際の扉１１は、少なくとも、トイレ室１０外側の把手２０の動きを介して扉１１の開閉が感知できる構造を有していればよく、それ以外のものは全て簡略化するなど様々な形態にすることが可能である。
【００１６】
本段落においては、上記した扉１１に最適に配置される掛け金２２の構造について説明する。上記トイレ室１０における扉１１の掛け金２２を、図２に示すように、バネ２２Ａによって扉１１の側端面から出し入れされる、扉の厚さ方向の両方に傾斜面を有する凸形状とした場合、従来の掛け金と比べて、以下の特徴を有する。先ず、従来の一般的な掛け金は、扉の厚さ方向の一方の側部が傾斜面で形成され、他方の側部が垂直面で形成されており、扉の側端面から突出して配置されている。そして、この形態の掛け金は、扉の側端面（掛け金部分）に対向する部分に設けられている掛け金の受けとなる溝の側面と、上記垂直面側とが引っかかる状態となって扉面や把手を単純に押し引き操作したのみでは扉は開かないようになっている。このため、従来の掛け金は、把手の回動操作と連動して扉１１内に後退するように形成されており、これにより扉を開けることが可能となる。このように、従来の掛け金は、扉を開けるために把手を回動操作する必要があり、非常に煩わしく、特に、手の不自由な人やお年寄りにとっては困難な作業になることもあった。一方、図２に示す、上記したバネ２２Ａによって扉１１の側端面から出し入れされる構造を有する凸形状（扉の厚さ方向の両側部が、傾斜面で形成されている）の掛け金２２は、把手（２０、２１）や扉面を単純に押し引き操作するのみで扉１１が開くようになっている。すなわち、使用者が扉１１を開ける際、両側部が傾斜面である掛け金２２は、扉１１の側部（掛け金２２部分）に対向する部分に設けられている掛け金２２の受けとなる溝と接することにより、扉１１内部に押し込まれるようになっている。そして、把手（２０、２１）の操作と連動させることなく、把手（２０、２１）や扉面を押し引き操作するのみで扉１１を開けることができる。一方、扉１１の揺れや振動などの軽い動きに対しては、掛け金２２の傾斜面と上記溝との摩擦力が働き、扉１１が意図せず開くことがないように調整されている。すなわち、図２に示すような構造の掛け金２２において、両側部の傾斜面は、上記の機能が発揮できるように傾斜の角度が調整されており、例えば、それぞれ、３０〜６０度の範囲にすることができる。このように把手（２０、２１）や壁面を押し引き操作するのみで、扉１１を開けることができるようにする掛け金２２の構造としては、その他に扉１１の側端部（端部）とこれに対応する部分に磁石をそれぞれ配置させた形態が挙げられる（不図示）。
【００１７】
図１又は図２に示した本実施形態の自動照明装置を構成する上述した各手段は、トイレ室１０の、扉１１の内部や、トイレ室１０内の天井に配置された照明１２の近くに設けられている。具体的には、図２に示すように、扉１１の内部には、トイレ室１０の外側に配置された把手２０の動きを介して扉１１が開閉されたことを感知するための第１又は第２の感知手段（１、２）と、これらが感知した情報をトイレ室１０内の照明１２を点灯又は消灯させる点灯又は消灯信号に変換するための点灯又は消灯信号変換手段（３、４）がそれぞれ設けられている。また、トイレ室１０の照明１２の近くには、図１に示すように、点灯又は消灯信号変換手段（３、４）から出力された点灯又は消灯信号を認識してトイレ室１０内の照明１２を点灯又は消灯させるための切替手段５が設けられている。以下、これらについて説明する。
【００１８】
本実施形態における第１又は第２の感知手段（１、２）は、トイレ室１０の扉１１の外側に配置されている把手２０の、扉１１内部の構造を下記のようにしたことで、先に述べた機能を発現している。本実施形態では、まず、トイレ室１０の扉１１のトイレ室１０外側の把手２０が、図２に示すように、扉１１内に位置している連結部材２０Ｂが、扉１１を開閉する方向（図示した例では扉の厚さ方向）に、僅かにスライドするように構成されている。スライドする範囲としては、数ミリ程度、より好ましくは、１〜５ｍｍ程度、僅かにスライドするように構成すればよい。この程度の僅かなスライドであれば、使用者が把手２０を持って扉１１を開閉した際に、その動きに違和感を感じることは殆どなく、この動きを何ら意識することなく使用できる。もちろん、５ｍｍよりも大きくスライドするように構成しても同様の機能のものが得られるが、扉１１の開閉のたびに把手２０がガタつく印象を与えるので好ましくない。
【００１９】
さらに、第１及び第２の感知手段（１、２）は、通電状態を切り換える押圧スイッチ（１Ａ、２Ａ）を有してなり、該押圧スイッチ（１Ａ、２Ａ）を上記連結部材２０Ｂがスライドして押すことで、扉１１の開閉を感知するように構成されている。具体的には、トイレ室１０の扉１１の外側に配置されている把手２０は、使用者が持つために外部に露出している部分である把手本体２０Ａと、該把手本体２０Ａから扉１１の本体内部に棒状に延出し、把手２０を僅かにスライドできる状態に扉１１の本体に取付けるための連結部材２０Ｂと、該連結部材２０Ｂに形成された、把手２０のスライドを扉１１の本体内部との引っかかりにより停止させる突部２０Ｃとから構成されている（図２参照）。このため、トイレ室１０の使用者が、把手２０（把手本体２０Ａ）をトイレ室１０の外側から手前に引いて扉１１を開けた際に、把手２０がトイレ室１０の外側方向（扉１１を開ける方向）に一定距離スライドすることとなる。一方、トイレ室１０の使用者が使用後に、把手２０（把手本体２０Ａ）をトイレ室１０内側へ押すと、把手２０が、トイレ室１０の内側方向（扉１１を閉める方向）に一定距離スライドすることとなる（図２の扉１１の開閉方向ｃ、把手２０のスライド移動方向ａ参照）。
【００２０】
そして、第１の感知手段１は、トイレ室１０の使用者が、把手２０を手前に引いたことを感知できるように、上記した突部２０Ｃと接触できる位置に設置されている（図２参照）。一方、第２の感知手段２は、トイレ室１０の使用者が、把手２０を押したことを感知できるように、上記した突部２０Ｃと接触できる位置に設置されている（図２参照）。本実施形態において、第１又は第２の感知手段（１、２）の構成は、押圧スイッチ（１Ａ、２Ａ）と、該押圧スイッチ（１Ａ、２Ａ）が押圧されて一時的に通電状態となる回路基板とから形成されている（図２参照）。そして、把手２０が僅かにスライドすることで、突部２０Ｃが、この押圧スイッチ（１Ａ、２Ａ）を押圧し、押圧スイッチ（１Ａ、２Ａ）が押圧されることで絶縁状態の回路基板は一時的に通電状態となる。そして、これにより発生した電流が、感知手段（１、２）の感知した情報として点灯又は消灯信号変換手段（３、４）へと送られる。なお、把手２０を構成している連結部材２０Ｂと、該連結部材２０Ｂが配置される扉１１内部には、把手の突部２０Ｃが各感知手段（１、２）と接触する位置で静止状態となるように磁石２３をそれぞれ設けることができる（図２参照）。これらの磁石２３は、使用者が意図しない把手２０のスライド移動を防止するためのものであり、これらの互いに引き付け合う力は、軽い振動では把手２０のスライドが起こらず、使用者による把手２０の操作のときには抵抗なくスライドできるように調整されている。
【００２１】
本実施形態において、点灯又は消灯信号変換手段（３、４）は、第１又は第２の感知手段（１、２）とそれぞれ配線されており、第１の感知手段１より送られた情報は、トイレ室１０内の照明１２を点灯させるための点灯信号に変えられ、第２の感知手段２より送られた情報は、トイレ室１０内の照明１２を消灯させるための消灯信号に変えられる。本実施形態において、これらの変換手段（３、４）は、図２に示すように、赤外線送信機６と全て一体となって扉１１内の任意の位置に設けられており、また、この赤外線送信機６における赤外線ランプは、図１に示すように、トイレ室１０内の照明１２の近傍に設けられた赤外線受信機７に向けられている。そして、本実施形態において、点灯又は消灯信号変換手段（３、４）は通電することにより作動するように設計された回路基板により形成されており、第１又は第２の感知手段（１、２）より送られた電流により作動して、変換した点灯又は消灯信号を赤外線送信機６により発信するようになっている。なお、上述した第１又は第２の感知手段（１、２）や点灯又は消灯信号変換手段（３、４）に供給される電源は、これらを家庭用電源に接続することにより得てもよいが、扉１１内部に電池を内蔵させることによって得ることもできる。
【００２２】
本実施形態において、赤外線発信機６から赤外線によって発信された点灯／消灯信号は、トイレ室１０内の照明１２近傍に設置された赤外線受信機７によって受信される（図１参照）。さらに、受信された点灯又は消灯信号は、赤外線受信機７と一体となって天井に設置されている切替手段５により、点灯信号又は消灯信号のいずれであるかが認識される。そして、認識した各信号に応じて照明１２は点灯又は消灯に切り替えられる。このように赤外線受信機７と切替手段５とが一体化した部材としては、例えば、オーム電機社の商品名「天井照明器具専用赤外線リモコンスイッチ」や、野田テック社の商品名「リモコンスイッチ」などの、照明の点灯／消灯の切り替えを行うための切替手段が内蔵された受信機本体を利用することができる。なお、このような受信機本体を用いる場合、天井に設置された照明１２を接続するための接続具に、先ず、上記受信機本体を接続し、該受信機本体に照明１２を接続するように設置する。これにより、上記受信機本体と照明１２の両方に電源が供給される。
【００２３】
次に、トイレの扉１１が引き戸式である場合に、好ましい実施形態の自動照明装置を設置した構成について説明する。この場合には、トイレ室の扉１１の外側に配置させた把手２０を左右に引くことで、扉１１の開閉操作が行われる。図３は、本実施形態の自動照明装置を採用した際の引き戸式の扉の概略横断面図である。先ず、本実施形態の自動照明装置を設置したトイレ室１０においては、その引き戸式の扉１１のトイレ室１０の外側の把手２０が、扉１１の開閉方向（左右）にスライドするように構成させればよい。例えば、先に述べた回動式の扉１１を有するトイレ室１０に設置した形態と同じようにして、把手２０が左右にスライドするように構成してもよいが、図３に示すような状態に構成させてもよい。図３に示した例では、把手２０が、所定の角度、回動可能な状態に扉１１の本体に取り付けられている。具体的には、トイレ室１０の外側に配置されている把手２０は、使用者が操作する部分である把手本体２０Ａと、該把手本体２０Ａから棒状に延出し、扉１１の本体内部に回動可能に挿入されて扉１１の本体と連結する連結部材２０Ｂとから構成されている。また、この把手２０が回動するための支点２０Ｅは、該連結部材２０Ｂの中央部分に形成されている。そして、トイレ室１０の使用者が、把手２０（把手本体２０Ａ）をトイレ室１０外側から右方向に引くと、把手２０が左回転しながら扉１１が開くようになっている。一方、トイレ室１０の使用者が、把手２０（把手本体２０Ａ）をトイレ室１０外側から左方向に引くと、把手２０が右回転しながら扉１１が閉じるようになっている（図３の扉１１の開閉方向ｄ、把手２０の回動方向ｂ参照）。なお、把手２０を構成している連結部材２０Ｂと、該連結部材２０Ｂが配置される扉１１内部の任意の位置には、把手２０が振動などで意図せず動いてしまうのを防止するために、把手２０の連結部材２０Ｂが各感知手段（１、２）と接触する位置で静止状態となるように磁石２３をそれぞれ設けることができる（不図示）。また、トイレ室１０内側の把手２１は、トイレ室外側の把手２１とは独立して設けられている。また、引き戸式の扉１１を確実に閉じることができるように、扉の掛け金２２と、これに対応する壁部分は、それぞれ磁石により形成させることができる（図３参照）。本実施形態において、扉１１のその他の箇所の構造は、従来と同様の構造にすることができ、例えば、扉１１の内側にトイレ室１０の扉１１を施錠するための施錠具などを設けることができる。また、扉１１の外側には、トイレ室１０を使用中であるか否かを知らせる表示部材を設けてもよく、さらに、この表示部材は、上記した施錠具と一体化させることもできる。
【００２４】
そして、本実施形態において、第１の感知手段１は、図３に示すように、トイレ室１０の使用者が、把手２０（把手本体２０Ａ）を右方向に引いたことを感知できるように、把手２０の把手本体２０Ａと反対側の端部２０Ｄ（連結部材２Ｂに形成されている）と接触できる位置に設置されている。一方、第２の感知手段２は、図３に示すように、トイレ室１０の使用者が、把手２０（把手本体２０Ａ）を左方向に引いたことを感知できるように、把手２０の把手本体２０Ａと反対側の端部２０Ｄと接触できる位置に設置されている。また、各感知手段（１、２）における連結部材２Ｂと接触する部分には、上述した実施形態と同様に、押圧スイッチ（１Ａ、２Ａ）が形成されている。
【００２５】
本実施形態において、このようにして、第１又は第２の感知手段（１、２）が感知した情報は、例えば、上述した実施形態と同じようにして設置された、点灯又は消灯信号変換手段（３、４）により、それぞれ、点灯又は消灯信号に変換される。その後、照明１２付近に設置された切替手段５がこれらの信号を受信し、切替手段５が点灯又は消灯信号のいずれであるかを認識するとともに照明１２を点灯又は消灯に切り替える。
【００２６】
以上、代表的な形態のトイレ室１０に、好ましい実施形態の自動照明装置を採用した場合を例に説明したが、本発明の自動照明装置の実施形態や、これを採用するトイレ室１０の形態は、本発明の要旨を変更しない限りにおいて、他の形態であってもよい。例えば、トイレ室１０の形態にあっては、扉１１の形状や開閉の向き、把手２０の構造、照明１２の位置などが異なっていてもよい。また、把手２０は、上述したようなスライドや回動する動きに限定されず、可動する構造を有していればよい。上記で説明したトイレ室外側の把手２０の構造は、トイレ室２０の扉１１を開く場合と、閉じる場合で異なる動きをするように形成されているが、第１の感知手段と第２の感知手段（１、２）を兼用することにより、扉１１を開く場合と、閉じる場合で同じ動きをする把手２０を備えた扉１１にも採用することができる。この場合、兼用した感知手段（１、２）は、例えば、扉１１の把手２０付近の内部に、操作された把手２０と接触するように設けることができ、この感知手段（１、２）で感知した情報を変換手段（３、４）で交互に点灯又は消灯信号に変換する。そして、これらの信号を交互に受信した切替手段５が、トイレ室内の照明１２を点灯又は消灯状態に切り替えるように調整される。また、例えば、第１又は第２の感知手段（１、２）を兼用させた形態としては、図４に示すような形態にすることも可能である。
【００２７】
さらに、本発明の自動照明装置は、第１の感知手段１が感知した情報をトイレ室１０内の換気扇、トイレ室１０内の空気を清浄化させる空気清浄機器又はトイレ室１０内の温度を調整する冷暖房機器などの機器を作動させる作動信号に変換するための作動信号変換手段と、第２の感知手段２が感知した情報をトイレ室１０内の作動した状態にある上記機器を停止させる停止信号に変換するための停止信号変換手段と、これらの変換手段により出力された信号が作動又は停止信号のいずれであるかを認識して、認識した信号に応じてトイレ室１０内の上記機器を作動又は停止に切り替えるための機器用切替手段とを有していてもよい。これにより、トイレ１０室内の換気扇などの機器も、トイレ室１０外側の把手２０の操作と連動させて自動的に作動又は停止させることが可能となる。
【００２８】
また、本発明の自動照明装置を設置させたトイレ室１０は、従来のトイレ室１０と同様に、予備的に、トイレ室１０外側近くの壁などに、照明１２専用の切替スイッチを設置していてもよい。また、本発明の自動照明装置は、自身の電源をＯＮ又はＯＦＦに切り替えるスイッチを備えていることが好ましい。これにより、昼間などの照明を点灯させる必要がない場合に、本発明の自動照明装置が作動するのを停止させることができる。さらには、自動照明装置自体の電源をＯＮ又はＯＦＦにする切り替えをトイレ室１０内の明るさに反応して自動的に行えるようにするために、上記赤外線受信部７などにトイレ室１０の明るさを識別するためのセンサと該センサが識別した情報により自動照明装置の電源をＯＮ又はＯＦＦに切り替える自動スイッチを設けていてもよい。すなわち、例えば、このセンサがトイレ室１０が十分に明るい状態にあると判断した場合は、自動スイッチは、トイレ室１０の照明１２を消灯させたまま自動照明装置が働かない状態に維持させる。一方、これ以外の場合にあっては、自動スイッチが、本発明の自動照明装置の電源をＯＮ状態となるように切り替える。これにより、本発明の自動照明装置は、より省エネで使用することが可能となる。
【図面の簡単な説明】
【００２９】
【図１】本発明の自動照明装置の一実施形態を設置したトイレ室の概要を示す斜視図。
【図２】図１におけるトイレ室の扉の概略横断面図。
【図３】本発明の他の実施形態を設置したトイレ室における引き戸式の扉の概略横断面図。
【図４】本発明の他の実施形態を設置したトイレ室における回動式の扉の概略横断面図。
【符号の説明】
【００３０】
１：第１の感知手段
１Ａ：押圧スイッチ
２：第２の感知手段
２Ａ：押圧スイッチ
３：点灯信号変換手段
４：消灯信号変換手段
５：切替手段
６：赤外線送信機
７：赤外線受信機
１０：トイレ室
１１：扉
１２：照明
１３：壁面
２０：トイレ室外側の把手
２０Ａ：把手本体
２０Ｂ：連結部材
２０Ｃ：突部
２０Ｄ：把手本体と反対側の端部
２０Ｅ：支点
２１：トイレ室内側の把手
２２：掛け金
２２Ａ：バネ
２３：磁石
２４：カバー
ａ、ｂ：トイレ室外側の把手の可動方向
ｃ、ｄ：トイレ室の扉の開閉方向
【図１】
2009272075.tif 000003
【図２】
2009272075.tif 000004
【図３】
2009272075.tif 000005
【図４】
2009272075.tif 000006